(57)【要約】【課題】景品陳列面作りに手間を掛けることがなく、フィールドパーツ組体の仕組みで景品陳列面を一部平面にしたり、各板パーツの傾きを調整して種々の三角波面形状に作ったりし、さらに景品陳列面の角度および前後調整可能にすることにより景品を見栄え良く陳列させることができるゲーム機の景品陳列フィールド可変システムを提供する。【解決手段】クレーンゲーム機１０のフィールド設置面に設ける景品陳列台１０２，２０２の景品陳列面は外フレームに組み込むフィールドパーツ組体により構成される。景品陳列台１０２は３列にフィールドパーツ組体が組み込まれ、すべてが平面に設定されている。景品陳列台２０２は１列のフィールドパーツ組体が組み込まれ、一部の板パーツが三角波面形状になるように設定されている。景品陳列面作りに手間が掛からず景品陳列台に搭載される景品の見栄えのある陳列を実現できる。【選択図】図１
2010252921.tif 000002
【特許請求の範囲】
【請求項１】
ゲーム機下部に設置される景品陳列台の景品陳列上面の形状を可変可能なゲーム機であって、
前記景品陳列台は、
内側面に係止溝を有する矩形状の外フレームと、
多数の板パーツを枢着連結してなり、側面に突起を有するフィールドパーツ組体とを備え、
前記外フレームの係止溝に前記突起を嵌合させ、該嵌合させた突起を前記係止溝の中を前後にスライドさせることにより、前記フィールドパーツ組体の板パーツで構成される面が三角波面形状になるように変形可能に構成したことを特徴とする景品陳列フィールド可変システム。
【請求項２】
前記ゲーム機は、
クレーンゲーム機であることを特徴とする請求項１記載の景品陳列フィールド可変システム。
【請求項３】
前記外フレームの上枠と下枠の間に、側面に係止溝を有する１以上の縦フレームを挟み、
外フレームの内側面の係止溝および縦フレームの係止溝にフィールドパーツ組体の板パーツの突起を嵌合させることにより、外フレームに複数のフィールドパーツ組体を設けたことを特徴とする請求項１または２記載の景品陳列フィールド可変システム。
【請求項４】
前記外フレームの左右枠に凸部を有するノブ部材を取り付けるとともに外フレームを支える支持フレームの先端に前記凸部と相補形の凹部を有するノブ部材を設け、
前記凸部を有するノブ部材と凹部を有するノブ部材を回転可能に係合することによりフィールドパーツ組体が形成する面の角度を調整可能にする角度調整機構を備えたことを特徴とする請求項１，２または３記載の景品陳列フィールド可変システム。
【請求項５】
前記外フレームを支える支持フレームの下端に案内部材を設けるとともに景品陳列台設置面に前記案内部材と係合する係合部材を設け、
前記案内部材を前記係合部材に対し移動させる移動機構を設け、
前記移動機構により景品陳列台を景品陳列台設置面に対し前後に移動可能にする前後調整機構を備えたことを特徴とする請求項１，２または３記載の景品陳列フィールド可変システム。
【請求項６】
前記請求項４記載の角度調整機構と、
前記請求項５記載の前後調整機構とを備えたことを特徴とする景品陳列フィールド可変システム。
【請求項７】
前記フィールドパーツ組体は、
各板パーツの対面する辺の一部に切欠部を設け、該切欠部に対し枢着する構造を備えたことを特徴とする請求項１乃至６のいずれかの景品陳列フィールド可変システム。
【発明の詳細な説明】
【技術分野】
【０００１】
本発明は、クレーンゲーム機などにおいて景品陳列フィールドが可変可能な景品陳列フィールド可変システムに関する。
【背景技術】
【０００２】
クレーンゲーム機の筐体内部を可変させる構造として特許文献１が提案されている。
この提案は外フレームに対し四角い小さいパーツを付け替えることによりフィールドの景品落し穴位置を変える構造を備えている。また外フレームを平行に上下できる機能も有している。
【先行技術文献】
【特許文献】
【０００３】
【特許文献１】特開２００５−２０５１６９号公報
【発明の概要】
【発明が解決しようとする課題】
【０００４】
しかしながら、特許文献１は四角パーツ（小さい）を組み合わせる手間が掛り、間引いたりして使用しない場合、四角パーツの別途保管が必要となって紛失等の恐れがあった。また、外フレーム自体が上下するものの、フィールドが平面状態であるので景品の見栄えを良くする目的で、別パーツを取付け段差をつけたりしなくてはならなかった。
【０００５】
本発明の目的は、景品陳列面作りに手間を掛かることがなく、フィールドパーツ組体の仕組みで景品陳列面を一部平面にしたり、各板パーツの傾きを調整して種々の三角波面形状に作ったりし、さらに景品陳列面の角度および前後調整可能にすることにより景品を見栄え良く陳列させることができるゲーム機の景品陳列フィールド可変システムを提供することにある。
【課題を解決するための手段】
【０００６】
前記目的を達成するために本発明の請求項１は、ゲーム機下部に設置される景品陳列台の景品陳列上面の形状を可変可能なゲーム機であって、前記景品陳列台は、内側面に係止溝を有する矩形状の外フレームと、多数の板パーツを枢着連結してなり、側面に突起を有するフィールドパーツ組体とを備え、前記外フレームの係止溝に前記突起を嵌合させ、該嵌合させた突起を前記係止溝の中を前後にスライドさせることにより、前記フィールドパーツ組体の板パーツで構成される面が三角波面形状になるように変形可能に構成したことを特徴とする。
本発明の請求項２は請求項１記載の発明において前記ゲーム機は、クレーンゲーム機であることを特徴とする。
本発明の請求項３は請求項１または２記載の発明において前記外フレームの上枠と下枠の間に、側面に係止溝を有する１以上の縦フレームを挟み、外フレームの内側面の係止溝および縦フレームの係止溝にフィールドパーツ組体の板パーツの突起を嵌合させることにより、外フレームに複数のフィールドパーツ組体を設けたことを特徴とする。
本発明の請求項４は請求項１，２または３記載の発明において前記外フレームの左右枠に凸部を有するノブ部材を取り付けるとともに外フレームを支える支持フレームの先端に前記凸部と相補形の凹部を有するノブ部材を設け、前記凸部を有するノブ部材と凹部を有するノブ部材を回転可能に係合することによりフィールドパーツ組体が形成する面の角度を調整可能にする角度調整機構を備えたことを特徴とする。
本発明の請求項５は、請求項１，２または３記載の発明において前記外フレームを支える支持フレームの下端に案内部材を設けるとともに景品陳列台設置面に前記案内部材と係合する係合部材を設け、前記案内部材を前記係合部材に対し移動させる移動機構を設け、前記移動機構により景品陳列台を景品陳列台設置面に対し前後に移動可能にする前後調整機構を備えたことを特徴とする。
本発明の請求項６は、前記請求項４記載の角度調整機構と、前記請求項５記載の前後調整機構とを備えたことを特徴とする。
本発明の請求項７は、請求項１乃至６のいずれかの発明において前記フィールドパーツ組体は、各板パーツの対面する辺の一部に切欠部を設け、該切欠部に対し枢着する構造を備えたことを特徴とする。
【発明の効果】
【０００７】
上記構成によれば、以下のような効果を有する。
・枢着連結した多数の板パーツで形成される景品陳列台の面を平面形状，波形形状および重ね合わせる形状に可変できるので、板パーツ自体を外すことなく、景品陳列部分の可変が可能となる。
・各板パーツの傾きを任意に選択し、上部凸部分，下部凹み部分および平面を任意に選べるため景品のアピール度が高くなる。
・景品陳列台を前後移動し、角度も調整できるので、さらに景品のアピール度が高くなる。また、それぞれの移動，角度調整はモータ駆動にすれば、遊戯中でも常に景品陳列台の傾斜および面形状を変動させることができ、遊戯の面白さにも繋がる。
・景品陳列台の面を平面や各板パーツの傾きを任意に選択して波形面形状にできるので、景品の陳列が自由となって運営側の手間が掛からない。
・景品陳列台の角度調整と、各板パーツの傾きの調整で階段の段差風に設定できるので、さらに景品のアピール度が高くなる。
【図面の簡単な説明】
【０００８】
【図１】本発明による景品陳列フィールド可変システムを適用したクレーンゲーム機の外観斜視図である。
【図２】景品陳列台の構造を説明するための斜視図である。
【図３】景品陳列台の他の構造を説明するための斜視図である。
【図４】１列外フレームよりなる景品陳列台のフィールドパーツ組体の使用方法を説明するための図である。
【図５】３列外フレームよりなる景品陳列台のフィールドパーツ組体の使用方法を説明するための図である。
【図６】景品陳列台の角度調整機構を説明するための図である。
【図７】角度調整機構の詳細を説明するための図である。
【図８】景品陳列台の上下調整機構を説明するための図である。
【図９Ａ】上下調整機構の詳細を説明するための図で、ラックピニオンを用いた例を示している。
【図９Ｂ】上下調整機構の詳細を説明するため図で、ネジ棒を用いた例を示している。
【図１０】景品陳列台の前後調整機構を説明するための図である。
【図１１】前後調整機構の詳細を説明するための図である。
【発明を実施するための形態】
【０００９】
以下、図１〜図１１を参照して景品陳列フィールド可変システムを詳細に説明する。
図１は、本発明による景品陳列フィールド可変システムを適用したクレーンゲーム機の外観斜視図である。
クレーンゲーム機１０は２プレイ用であり、左側の景品陳列台設置面に３列外フレーム２０よりなる景品陳列台１０２が、右側の景品陳列台設置面に１列外フレーム３０よりなる景品陳列台２０２が配置されている。
クレーンキャッチャ１０１によって景品陳列台１０２に搭載される景品が、クレーンキャッチャ２０１によって景品陳列台２０２に搭載される景品がそれぞれ捕獲される。
操作パネル１０３に設けられている操作ボタンによりクレーンキャッチャ１０１が、操作パネル２０３に設けられている操作ボタンによりクレーンキャッチャ２０１がそれぞれ操作され、前後左右に移動し降下することにより景品のキャッチャが行われる。
クレーンキャッチャ１０１に掴まれた景品は景品払出し口１０４から、クレーンキャッチャ２０１に掴まれた景品は景品払出し口２０４からそれぞれ払い出される。
【００１０】
図２は、景品陳列台の構造を説明するための斜視図である。
景品陳列台はフィールドパーツ組体２１，２２，２３，３列外フレーム２０，縦フレーム２４，３５ならびに支持フレーム２８，２８を組み立てて構成される。
３列外フレーム２０の側フレーム内側に係止溝２０１，２０２が、縦フレーム２４および３５の両側面に係止溝２４１，２４２および３５１，３５２がぞれぞれ設けられている。フィールドパーツ組体２１，２２，２３はそれぞれ５枚の板パーツ２１１〜２１５，２２１〜２２５，２３１〜２３５を有し、板パーツ２１１〜２１５，２２１〜２２５，２３１〜２３５の長辺側が枢着され各板パーツ間は１８０°折れ曲がるようになっている。板パーツ２１１〜２１５，２２１〜２２５，２３１〜２３５の両短辺側に突起２９，２９・・・が植設されている。
３列外フレーム２０に２本の縦フレーム２４，３５が取り付けられ、３列外フレーム２０の側フレームの係止溝２０１と縦フレーム２４の係止溝２４１、縦フレーム２４の２４２と縦フレーム３５の係止溝３５１および縦フレーム３５の係止溝３５２と側フレームの係止溝２０２にそれぞれフィールドパーツ組体２１，２２および２３の板パーツの突起２９，２９を嵌合させることによりフィールドパーツ組体２１，２２および２３が組み込まれる。
【００１１】
図３は、景品陳列台の他の構造を説明するための斜視図である。
景品陳列台はフィールドパーツ組体３１，１列外フレーム３０および支持フレーム３７，３７を組み立てて構成される。縦フレーム３２，３２を組み込みをせず、１列外フレーム３０および支持フレーム３７，３７は、図２の３列外フレーム２０および支持フレーム２８，２８と同じ寸法である。
１列外フレーム３０の側フレームの係止溝３０１と３０２にフィールドパーツ組体３１の板パーツ３１１〜３１５の突起３６，３６を嵌合させることによりフィールドパーツ組体３１が組み込まれる。
【００１２】
図４は、１列外フレームよりなる景品陳列台のフィールドパーツ組体の使用方法を説明するための図である。
図４（ａ）は１列外フレーム３０に組み込んだフィールドパーツ組体３１の板パーツ３０１を後方にスライドさせた例であり、景品陳列面が三角波面形状となる。板パーツ３０１および３０２により三角状の凸部が形成され、さらに板パーツ３０３，３０４により三角形状の凹部が形成される。
図４（ｂ）はフィールドパーツ組体３３の板パーツ３３１〜３３５は辺の３個所に切欠部３８を有し、該切欠部３８が他の板パーツと枢着している。板パーツ３３１を後方にスライドさせてあり、図４（ａ）と同様、景品陳列面が三角波面形状となる。板パーツ３３１〜３３５の枢着部分が切欠部３８に設けられているため、板パーツ３３１を後方にスライドさせて三角波面形状にしたとき、一方の板パーツの枢着部分でない部分が他方の板パーツの下方に位置する。
【００１３】
図５は、３列外フレームよりなる景品陳列台フィールドのフィールドパーツ組体の使用方法を説明するための図である。
図５（ａ）は外フレーム２０に３個のフィールドパーツ組体２１，２２，２３を組み込んだものである。
フィールドパーツ組体２１は板パーツ２１５を手前方向にスライドさせ、フィールドパーツ組体２２はいずれの板パーツもスライドさせることなく平面形状にしてあり、さらにフィールドパーツ組体２３は板パーツ２３１を後方にスライドさせている。それぞれのフィールドパーツ組体２１，２２，２３を任意の形状に設定することができる。
図５（ｂ）は外フレーム２０に３個のフィールドパーツ組体２５，２６，２７を組み込んだもので、フィールドパーツ組体２５，２６，２７の各板パーツは図４（ｂ）と同様に板パーツに切欠部を有し、切欠部に枢着したものである。それぞれのフィールドパーツ組体２５，２６，２７を任意の形状に設定することができる。
【００１４】
図６は、景品陳列台の角度調整機構を説明するための図である。
３列外フレーム４０を支持する両側フレームにノブ（オス）４３，４３が取り付けられ、支持フレーム４４，４４の先端にノブ（メス）４５，４５が設けられている。
図６（ａ）に示すように３列外フレーム４０のノブ（オス）４３，４３に支持フレーム４４，４４のノブ（メス）４５，４５を嵌合させることにより、３列外フレーム４０が支持フレーム４４，４４に取り付けられる。
３列外フレーム４０は図６（ｂ）に示すように取り付け時の角度を調整することができる。フィールドパーツ組体の板パーツを折り曲げ、かつ景品陳列台の角度を適宜調節することによりフィールドパーツ組体の板パーツを階段状の段差を持つような形にすることができる。図６（ｃ）に板パーツ４６２および４６４が水平状態となって２段の階段が形成されている例が示されている。
【００１５】
図７は、角度調整機構の詳細を説明するための図である。
ノブ（オス）４３は底面を有する円筒形であって側面の円周に沿って１６個の角度調整孔４３１が等間隔に設けられている。側面中央にフランジを持つ嵌合突起４３２を有し、嵌合突起４３２のフランジ面と円筒形の底面の間にバネ４３３が圧縮されて挿入されており、嵌合突起４３２に右方向に移動習性が与えられている。
ノブ（メス）４５はノブ（オス）４３の対面側の側面中央に嵌合孔４５２を有し、嵌合孔４５２を挟んで２つの角度調整突起４５１，４５１が設けられている。角度調整突起４５１，４５１の他端は円板４５４に固定され、円板４５４の中央に、解除つまみ４５３が固定された軸４５６が取り付けられている。軸４５６にバネ４５５が圧縮した状態で嵌合され、バネ４５５によって角度調整突起４５１，４５１は左方向に移動習性が与えれている。
【００１６】
ノブ（メス）４５へのノブ（オス）４３の結合は、図７（ａ）に示すように、嵌合突起４３２に嵌合孔４５２に落とし込むことにより行われる。そして、図７（ｂ）に示すように、角度調整突起４５１，４５１を角度調整孔４３１の何れかに落とし込むことにより、その角度位置で固定される。
景品陳列台の角度を調整するには、図７（ｃ）に示すように、解除つまみ４５３を引っ張り、角度調整突起４５１，４５１を角度調整孔４３１から外すことにより、景品陳列台の角度を２２．５°刻みで任意に選択することができる。選択した位置で解除つまみ４５３を離すことにより、角度調整突起４５１，４５１がその位置の角度調整孔４３１に嵌合し角度が確定する。
【００１７】
図８は、景品陳列台の上下調整機構を説明するための図である。
図８（ａ）に示すように、３列外フレーム５０を支持する支持フレーム５４，５４が景品陳列台設置面９６に設けた長溝５５，５５を上下に移動させることができる。
図８（ｂ）に景品陳列台が最も下降した状態と最も上昇した状態が示されている。
【００１８】
図９Ａは、上下調整機構の一例を説明するための図である。
支持フレーム５４にラック５６が取り付けられ、モータ５９の出力はギヤ群５８を介してギヤ５７に伝達される。ギヤ５７はラック５６に噛合している。モータ５９およびギヤ群５８はクレーンゲーム機筐体に取り付けられている。モータを正逆転することにより正逆転の駆動力はギヤ５７を介してラック５６を取り付けた支持フレーム５４を上昇下降させることができる。
【００１９】
図９Ｂは、上下調整機構の他の例を説明するための図である。
支持フレーム６１の中にメスネジ６７が埋め込まれており、メスネジ６７にネジ棒６２が噛合している。ネジ棒６２の下端にギヤ６３を有している。
モータ６６の出力はギヤ群６５を介してギヤ６４に伝達される。ギヤ６４はギヤ６３に噛合している。モータ６６およびギヤ群６５はクレーンゲーム機筐体に取り付けられている。モータ６６を正逆転することにより正逆転の駆動力はネジ棒６２を正逆回転させ、メスネジ６７を埋め込んだ支持フレーム６１を上昇下降させることができる。
【００２０】
図１０は、景品陳列台の前後調整機構を説明するための図である。
図１０（ａ）に示すように３列外フレーム７０を支持する支持フレーム７４，７４が景品陳列台設置面８６に設けた長溝７５，７５中を前後に移動可能に構成されている。
図１０（ｂ）に景品陳列台が最も手前に移動した状態および最も奥に移動した状態が示されている。
【００２１】
図１１は、前後調整機構の詳細を説明するための図である。
この実施の形態は前後調整機構に上下調整機構も同時に設けられている。
ラック７６が支持フレーム７４に沿って取り付けられ、ラック８１が支持フレーム７４に対し直角方向に取り付けられている。モータ７９，ギヤ群７８，ギヤ７７およびラック７６よりなる上下調整機構は図９Ａで説明した上下調整機構と同じであるので、その説明は省略する。
モータ８５の出力はギヤ群８４を介してギヤ８３に伝達される。ギヤ８３はギヤラック８１に噛合している。モータ８５およびギヤ群８４はクレーンゲーム機筐体に取り付けられている。ラック８１の下面にローラ８２，８２が設けられ、ローラ８２，８２がクレーンゲーム機筐体を構成する部材８７の上を回転することにより支持フレーム７４が前後に移動することができるようになっている。
モータ８５を正逆転することにより正逆転の駆動力はギヤ８３に伝達され、ラック８１を取り付けた支持フレーム７４を前後に移動させることができる。
【００２２】
以上の実施の形態における景品陳列台を前後および上下に移動させるモータはクレーンゲーム機設置の際に管理者が駆動させて所定の前後位置および上下位置に調整する例を示したが、モータ駆動回路をゲーム回路の制御部の指示に従って駆動させるように構成することにより、例えばクレーンゲーム中に所定の条件になった場合、モータを駆動させて景品陳列台の前後位置や上下位置を変更することが可能である。
また、景品陳列台の角度もモータで調整する機構を設けることにより、同様にクレーンゲーム中に所定の条件になった場合、その景品陳列台の角度を変更することが可能である。
さらに外フレームの列の数は１および３の例、フィールドパーツ組体の板パーツの数は５枚の例について説明したが、外フレームの数は２列，４列以上に設定することができ、板パーツの数も５枚以外の数に設定することができる。
【産業上の利用可能性】
【００２３】
イベント会場やゲームセンタに設置される業務用クレーンゲーム機である。
【符号の説明】
【００２４】
１０  クレーンゲーム機
２０，４０，５０  ３列外フレーム
２１，２２，２３，２５，２６，２７，３１，３３，  フィールドパーツ組体
２４，３２，３５  縦フレーム
３０  １列外フレーム
４３  ノブ（オス）
４５  ノブ（メス）
４３１  角度調整孔
４３３，４５５  バネ
４５１  角度調整突起
４５３  つまみ
【図１】
2010252921.tif 000003
【図２】
2010252921.tif 000004
【図３】
2010252921.tif 000005
【図４】
2010252921.tif 000006
【図５】
2010252921.tif 000007
【図６】
2010252921.tif 000008
【図７】
2010252921.tif 000009
【図８】
2010252921.tif 000010
【図９Ａ】
2010252921.tif 000011
【図９Ｂ】
2010252921.tif 000012
【図１０】
2010252921.tif 000013
【図１１】
2010252921.tif 000014